(57)【要約】【課題】本発明は、通行人に与える圧迫感を低減させると共に、工事現場のイメージアップを図ることが可能な防護工及び防護工の設置方法を提供する。【解決手段】本発明に係る防護工は、道路Ｒの上方で行われる工事の工事現場に仮設置されるトンネル状の防護工１である。防護工１は、工事現場の架構に支持された天井壁２と、天井壁２と道路Ｒとの間に位置しており天井壁２に対して設けられた一対の側壁３と、天井壁２の下面に取り付けられ、側壁３の内側面に光を照射するＬＥＤ照明装置２０とを備える。天井壁２の下面若しくは側壁３の内側面は白色である。【選択図】図１
2015151700.tif 000002
【特許請求の範囲】
【請求項１】
道路の上方で行われる工事の工事現場に仮設置されるトンネル状の防護工において、
前記工事現場の架構に支持された天井壁と、
前記天井壁と前記道路との間に位置しており前記天井壁に対して設けられた一対の側壁と、
前記天井壁の下面に取り付けられ、前記側壁の内側面に光を照射するＬＥＤ照明装置と、を備え、
前記ＬＥＤ照明装置によって照射される壁面は白色であることを特徴とする防護工。
【請求項２】
前記ＬＥＤ照明装置は、照射する光の光量と、照射する光の色とを時間的に変化可能であることを特徴とする請求項１に記載の防護工。
【請求項３】
前記天井壁は、前記ＬＥＤ照明装置が取り付けられる白色の鋼板と、前記鋼板の上部に取り付けられて前記ＬＥＤ照明装置の電源機器が載置されるデッキプレートと、を備えることを特徴とする請求項１又は２に記載の防護工。
【請求項４】
前記ＬＥＤ照明装置の電源機器は、天井壁面を構成するパネルと前記パネルの剛性を確保するための剛性部材とからなる前記天井壁の背面に予め設置され、
前記天井壁は、前記電源機器が前記背面に固定された状態で受け桁に設置されることを特徴とする請求項１〜３のいずれか一項に記載の防護工の設置方法。
【発明の詳細な説明】
【技術分野】
【０００１】
本発明は、工事現場に仮設置される防護工及び防護工の設置方法に関し、特に、内部に照明装置を備えたトンネル状の防護工及び防護工の設置方法に関する。
【背景技術】
【０００２】
工事現場では、落下物から人や車両等を防護するための防護工が工事期間中に仮設されることがある。トンネル状の防護工は、内部が暗くなる場合があるので、このような場合には防護工の内部に照明装置が設置される。特開２０１２−１８２０６５号公報には、トンネル築造時に用いられる工事用照明器具が記載されている。この工事用照明器具は、坑道に沿って並ぶようにトンネルの内壁面に設置されている。各工事用照明器具は、複数のＬＥＤを備えている。
【先行技術文献】
【特許文献】
【０００３】
【特許文献１】特開２０１２−１８２０６５号公報
【発明の概要】
【発明が解決しようとする課題】
【０００４】
ところで、道路の上方で工事を行う場合には、工事現場から道路への物の落下を防止するため、道路の上方にトンネル状の防護工が設置される。このようなトンネル状の防護工では、上述したように内部に照明装置が設置される。しかしながら、トンネル状の防護工の内部では、例えば多くの鉄骨が剥き出しになっているので、工事現場独特の圧迫感を通行人に与えてしまうことがある。よって、この種の防護工では、内部を通る通行人に対するイメージアップを図ることが求められる。
【０００５】
本発明は、通行人に与える圧迫感を低減させると共に、工事現場のイメージアップを図ることが可能な防護工及び防護工の設置方法を提供することを目的とする。
【課題を解決するための手段】
【０００６】
本発明の防護工は、道路の上方で行われる工事の工事現場に仮設置されるトンネル状の防護工において、工事現場の架構に支持された天井壁と、天井壁と道路との間に位置しており天井壁に対して設けられた一対の側壁と、天井壁の下面に取り付けられ、側壁の内側面に光を照射するＬＥＤ照明装置と、を備え、ＬＥＤ照明装置によって照射される壁面は白色であることを特徴とする。
【０００７】
本発明に係る防護工では、ＬＥＤ照明装置によって照射される壁面が白色であると共に、天井壁の下面に取り付けられたＬＥＤ照明装置が側壁の内側面に光を照射する。よって、白色である壁面にＬＥＤ照明装置からの光が照射され、側壁の内側面で光が反射されやすくなっている。従って、ＬＥＤ照明装置から照射された光を防護工の内部全体に行き渡らせることができるので、防護工の内部における照度を確保することができる。また、防護工の内部全体に光が行き渡るので、防護工の内部を通る通行人に与える圧迫感を低減させ、工事現場のイメージアップを図ることができると共に、防護工の内部における防犯効果を高めることもできる。更に、ＬＥＤ照明装置を用いているので、ＬＥＤ以外の照明装置を用いた場合と比較して寿命が長い。従って、照明装置の交換頻度を減らすことも可能となる。
【０００８】
また、ＬＥＤ照明装置は、照射する光の光量と、照射する光の色とを時間的に変化可能とするものであってもよい。ＬＥＤ照明装置が照射する光の光量と色を時間的に変化可能とすることによって、防護工の内部における意匠性を高めることが可能となる。従って、工事現場をよりイメージアップさせることができる。
【０００９】
また、天井壁は、ＬＥＤ照明装置が取り付けられる白色の鋼板と、鋼板の上部に取り付けられてＬＥＤ照明装置の電源機器が載置されるデッキプレートと、を備えていてもよい。このように天井壁がデッキプレートを備えることによって、天井壁の剛性を確保すると共に、天井壁の軽量化を図ることができる。また、ＬＥＤ照明装置が白色の鋼板に取り付けられて、ＬＥＤ照明装置の電源機器がデッキプレートの上に載置されるので、ＬＥＤ照明装置一式を予め天井壁に設置させることができる。従って、ＬＥＤ照明装置を備えた天井壁の設置を簡単に行うことができるので、防護工の施工を迅速に行うことが可能となる。
【００１０】
本発明に係る防護工の設置方法において、ＬＥＤ照明装置の電源機器は、天井壁面を構成するパネルとパネルの剛性を確保するための剛性部材とからなる天井壁の背面に予め設置され、天井壁は、電源機器が背面に固定された状態で受け桁に設置されることを特徴とする。このようにＬＥＤ照明装置の電源機器が天井壁の背面に予め設置される。よって、ＬＥＤ照明装置を備えた天井壁の受け桁への設置を簡単に行うことができ天井壁設置後の高所作業を減らすことができるので、防護工の施工を迅速に行うことが可能となる。
【発明の効果】
【００１１】
本発明によれば、通行人に与える圧迫感を低減させると共に防犯効果を高めることができ、工事現場のイメージアップを図ることができる。
【図面の簡単な説明】
【００１２】
【図１】本発明に係る防護工の一実施形態を示す斜視図である。
【図２】図１の防護工を示す側面図である。
【図３】図１の防護工の天井壁とＬＥＤ照明装置とを示す断面図である。
【図４】図１の防護工の天井壁とＬＥＤ照明装置とを示す別の断面図である。
【図５】図１の防護工の内部におけるＬＥＤ照明装置の配線を示す図である。
【発明を実施するための形態】
【００１３】
以下、図面を参照しつつ、本発明に係る防護工及び防護工の設置方法の実施形態について詳細に説明する。
【００１４】
図１及び図２に示されるように、防護工１は、道路Ｒの上方で架設工事等を行う際に、道路Ｒを通行する通行人や通行車両を保護するために仮設置される。防護工１は、工事が完了した後には撤去される。防護工１の上方には、工事に伴って使用される架構１０が設けられている。防護工１は、道路Ｒ上でトンネル状となるように設けられており、天井壁２と、天井壁２の両脇に位置する一対の側壁３とを備えている。道路Ｒは、自動車等が走行する車道Ｒ１と、歩行者が通る歩道Ｒ２とを含んでいる。車道Ｒ１と歩道Ｒ２とはガードレールＧ及び白線Ｈによって仕切られている。但し、道路は、車道Ｒ１と歩道Ｒ２とに分かれていなくてもよく、例えば車道Ｒ１のみ又は歩道Ｒ２のみであってもよい。
【００１５】
架構１０は、道路Ｒを挟んで一対に設けられた２本の柱部１１と、側壁３を柱部１１に支持するブラケット１２と、側壁３を貼り付ける単管パイプ１３と、天井壁２が載置される受け桁１４とを備えている。ブラケット１２は、各柱部１１に対して１個ずつ設けられている。また、単管パイプ１３はクランプ１５によって柱部１１に固定されている。
【００１６】
側壁３は、天井壁２側に位置する矩形状のフラットパネル３ａと、道路Ｒ側に位置する矩形状のフラットパネル３ｂとによって構成されている。フラットパネル３ａ，３ｂは上述した単管パイプ１３に貼り付けられている。また、複数のフラットパネル３ａ，３ｂが道路Ｒに沿って貼り付けられている。フラットパネル３ａ，３ｂは、白色の化粧鋼板である。フラットパネル３ａ，３ｂは、例えば加熱することによって白色の塗料を硬化させる焼付け塗装によって製造される。
【００１７】
天井壁２は、ブラケット１２の上方に位置する受け桁１４で支持されている。図１に示されるように、天井壁２の下面には、道路Ｒに沿って並設される複数の電灯１６と、電灯１６の両側に一対に配置された複数のＬＥＤ照明装置２０とが設けられている。防護工１の内部において、複数のＬＥＤ照明装置２０は所定の間隔を空けて天井壁２に取り付けられている。電灯１６は、防護工１の内部で直接照明として機能する。一方、ＬＥＤ照明装置２０は、防護工１の内部で間接照明として機能するものであり、ＬＥＤ照明装置２０からの光はフラットパネル３ａ，３ｂに照射されフラットパネル３ａ，３ｂによって反射される。このように間接照明としてＬＥＤ照明装置２０を備えることによって、防護工１の歩行者空間も含めた内部全体にバランス良く光を行き渡らせることができ、高い防犯効果を得ることが可能となっている。
【００１８】
図３及び図４に示されるように、天井壁２は、道路Ｒが延びる方向に凹凸を有するデッキプレート２Ａと、デッキプレート２Ａの下側に貼り付けられて天井壁面を構成するフラットパネル（パネル）２Ｂとによって構成されている。デッキプレート２Ａは、天井壁２の剛性部材として機能する。フラットパネル２Ｂとしては、側壁３のフラットパネル３ａ，３ｂと同様、白色の化粧鋼板を用いることができる。また、フラットパネル３ａ，３ｂと同様、複数枚のフラットパネル２Ｂは道路Ｒに沿って貼り付けられている（図１参照）。
【００１９】
ＬＥＤ照明装置２０は、複数の電灯２１ａを収容する筐体２１と、各電灯２１ａに電力を供給する電力線２２と、各電灯２１ａに信号を供給する２本の信号線２３と、電力線２２を収容する電源ボックス（電源機器）２４と、信号線２３を収容する信号線ボックス２５と、を備えている。
【００２０】
ＬＥＤ照明装置２０の筐体２１は、ハンガー２０ａによって吊り下げられており、天井壁２に対して筐体２１を傾けた状態とすることが可能となっている。このように筐体２１を傾けて天井壁２に対する筐体２１の角度を所望の角度とすることによって、電灯２１ａからの光の照射角度を変更することが可能となっている。また、各電灯２１ａは、出力する光のＲ成分、Ｇ成分及びＢ成分が制御されることによって、あらゆる色の光を照射可能となっている。
【００２１】
電力線２２は、電源ボックス２４から、デッキプレート２Ａを貫通する貫通孔２ａとフラットパネル２Ｂを貫通する貫通孔２ｂとに通されて、筐体２１に接続されている。信号線２３は、信号線ボックス２５から、デッキプレート２Ａを貫通する貫通孔２ｃとフラットパネル２Ｂを貫通する貫通孔２ｄとに通されて、筐体２１に接続されている。これらの貫通孔２ａ〜２ｄ等、天井壁２に形成された各穴にはコーキングが施されているので、天井壁２からの水漏れは防止される。また、天井壁２は、水平面に対して若干傾斜しているので、雨水等が天井壁２のデッキプレート２Ａ上を流れやすくなっており、天井壁２の上部に溜まる水を速やかに排出することが可能となっている。
【００２２】
電源ボックス２４は、デッキプレート２Ａにおける凸部２ｅの上面に載置されている。電源ボックス２４は、デッキプレート２Ａ及びフラットパネル２Ｂを貫通する棒状の支持部材２６によってＬＥＤ照明装置２０の筐体２１を支持している。図４及び図５に示されるように、電源ボックス２４の内部において、電力線２２は、電源ラインＬ１を介して他のＬＥＤ照明装置２０の電力線２２と接続されている。また、電源ラインＬ１は分電盤（不図示）に接続されているので、各ＬＥＤ照明装置２０には電力が一斉に供給されるようになっている。
【００２３】
信号線ボックス２５は、デッキプレート２Ａにおける凸部２ｆの上面に載置されている。信号線ボックス２５は、デッキプレート２Ａ及びフラットパネル２Ｂを貫通する棒状の支持部材２７によってＬＥＤ照明装置２０の筐体２１を支持している。信号線ボックス２５の内部において、信号線２３は、信号ラインＬ２を介して他のＬＥＤ照明装置２０の信号線２３と接続されている。信号ラインＬ２はコンピュータ（不図示）に接続されており、このコンピュータから各信号線２３が制御信号を受けることによって、各ＬＥＤ照明装置２０の電灯２１ａから所望の光量及び所望の色の光が照射される。
【００２４】
ＬＥＤ照明装置２０の電灯２１ａは、上記のコンピュータによって、照射する光の光量と色とが時間的に変化するように制御される。このコンピュータには、例えば、電灯２１ａによる光の照射パターンを複数入力可能となっており、２秒で赤色から黄色に変化させる等、各電灯２１ａは入力されたパターンに則った光量及び色の光を照射する。
【００２５】
また、コンピュータによって、電灯２１ａによる光の照射パターンを時間毎及び日毎に変えることも可能となっており、例えば昼間は光量を強くして夜間は光量を弱くするように、光量を時間的に変えることも可能である。更に、例えば、防護工１の出入口に近い電灯２１ａの光量を小さくすると共に、防護工１の奥側に位置する電灯２１ａの光量を大きくすることも可能である。このように電灯２１ａの設置場所毎に光量及び色を変えることも可能である。
【００２６】
次に、防護工１の組立方法について簡潔に説明する。まず、図２及び図３に示されるように、架構１０の柱部１１にブラケット１２及び単管パイプ１３を取り付けて、ブラケット１２の上面にＨ形鋼である受け桁１４をボルト締めで固定させる。また、図４に示されるように、天井壁２に対するＬＥＤ照明装置２０の設置作業を行う。すなわち、各ＬＥＤ照明装置２０を支持部材２６，２７で天井壁２に支持させると共に、各ＬＥＤ照明装置２０の電力線２２及び信号線２３をデッキプレート２Ａの上方に引き出した状態としておく。
【００２７】
そして、受け桁１４の上面に、ＬＥＤ照明装置２０が搭載された天井壁２を設置する。受け桁１４の上面に天井壁２を設置した後には、フラットパネル３ａ及びフラットパネル３ｂを単管パイプ１３に固定させて側壁３を形成する。また、受け桁１４の上面に天井壁２を設置した後には、各電力線２２を電源ボックス２４及び電源ラインＬ１を介して分電盤に接続する配線作業を行う。そして、各信号線２３を信号線ボックス２５及び信号ラインＬ２を介してコンピュータに接続する配線作業を行って防護工１が完成する。なお、上述した各配線作業等、デッキプレート２Ａの上部で行う作業は、側壁３を形成する作業と並行して行うことが可能である。
【００２８】
以上、本実施形態の防護工１では、図１に示されるように、天井壁２のフラットパネル２Ｂ及び側壁３におけるフラットパネル３ａ，３ｂが白色であると共に、天井壁２の下面に取り付けられたＬＥＤ照明装置２０が側壁３の内側面に光を照射する。よって、白色である側壁３の内側面にＬＥＤ照明装置２０からの光が照射され、側壁３の内側面で光が反射されやすくなっているので、ＬＥＤ照明装置２０から照射された光を防護工１の内部全体に行き渡らせることができる。従って、防護工１の内部の全体に光が行き渡るので、防護工１の内部における照度を確保することができる。
【００２９】
また、防護工１の内部を通る通行人に明るくすっきりとしたイメージを与えることができ、通行人に与える圧迫感を低減させることが可能になると共に、工事現場のイメージアップを図ることができる。光が全体に行き渡るため、防護工１の内部における防犯効果を高めることもできる。また、防護工１では、ＬＥＤ照明装置２０を用いているので、ＬＥＤ以外の照明装置を用いた場合と比較して寿命が長い。従って、照明装置２０の交換頻度を減らすことも可能となる。更に、防護工１の内側面は、天井壁２のフラットパネル２Ｂと側壁３のフラットパネル３ａ，３ｂで構成されており、鉄骨が剥き出しになっている箇所が無いので、更なるイメージアップが可能となっている。
【００３０】
また、防護工１では、ＬＥＤ照明装置２０が照射する光の光量と色とを時間的に変化可能としているので、季節や時間帯に応じて任意の照度や色合いを調整することが可能となり、防護工１の内部における意匠性を高めることが可能となる。従って、工事現場をよりイメージアップさせることができる。
【００３１】
また、防護工１では、天井壁２がデッキプレート２Ａを備えているので、天井壁２の剛性を確保すると共に、天井壁２の軽量化を図ることができる。また、ＬＥＤ照明装置２０が白色のフラットパネル２Ｂに取り付けられて、ＬＥＤ照明装置２０の電源ボックス２４及び信号線ボックス２５がデッキプレート２Ａの上に載置されるので、ＬＥＤ照明装置２０一式を予め天井壁２に設置させることができる。
【００３２】
すなわち、防護工１の設置方法では、天井壁２の背面に対するＬＥＤ照明装置２０の設置を予め行うことが可能となっており、予めＬＥＤ照明装置２０を天井壁２に設置した後に、天井壁２を受け桁１４に設置することも可能となる。従って、ＬＥＤ照明装置２０を備えた天井壁２の受け桁１４への設置を簡単に行うことができ天井壁２設置後の高所作業を減らすことができるので、防護工１の施工を迅速に行うことが可能となる。
【００３３】
本発明は、上述した実施形態に限定されず、本発明の要旨を逸脱しない範囲で、下記のような種々の変形が可能である。
【００３４】
例えば、上記実施形態では、天井壁２のフラットパネル２Ｂ及び側壁３におけるフラットパネル３ａ，３ｂが白色である例について説明したが、フラットパネル全体が白色でなくてもよく、少なくとも、ＬＥＤ照明装置２０によって照射される壁面（例えば、本実施形態ではフラットパネル２Ｂの下面若しくはフラットパネル３ａ，３ｂの内側面）が白色であればよい。また、上記実施形態では、天井壁２を構成する鋼板と側壁３を構成する鋼板としてフラットパネル２Ｂ，３ａ，３ｂを用いたが、フラットパネル以外の鋼板を用いることも可能である。
【００３５】
また、天井壁２は、デッキプレート２Ａとフラットパネル２Ｂとを備えていたが、デッキプレート２Ａに代えて、例えばＨ形鋼を用いることも可能である。更に、側壁３は、天井壁２側に位置するフラットパネル３ａと道路Ｒ側に位置するフラットパネル３ｂとを備えていたが、側壁３におけるフラットパネルの枚数は１枚又は３枚以上としてもよい。
【００３６】
また、防護工１は、道路Ｒの上方で架設工事等を行う際に、道路Ｒを通行する通行人や車両を保護するために仮設置されるものであった。しかしながら、本発明に係る防護工において、道路Ｒの上方で行われる工事の内容は特に限定されず、本発明に係る防護工は、道路の上方で行われる工事の工事現場に仮設置されるものであればよい。
【符号の説明】
【００３７】
１…防護工、２…天井壁、２Ａ…デッキプレート（剛性部材）、２Ｂ…フラットパネル（鋼板、パネル）、３…側壁、３ａ，３ｂ…フラットパネル（鋼板）、１０…架構、１４…受け桁、２０…ＬＥＤ照明装置、２４…電源ボックス（電源機器）、２５…信号線ボックス、Ｒ…道路。
【図１】
2015151700.tif 000003
【図２】
2015151700.tif 000004
【図３】
2015151700.tif 000005
【図４】
2015151700.tif 000006
【図５】
2015151700.tif 000007